(57)【特許請求の範囲】
【請求項１】
少なくともインターネット網と電話網に接続し、受信した電子メールを指定されたファクシミリ装置にファックス送信する機能において、
ヘッダーと本文と添付ファイルの内容とを異なるページに印刷出力されるように分割し、
前記ヘッダーおよび前記本文のページサイズを、前記添付ファイルのページサイズに変更して転送先にファクシミリ送信する
ことを特徴とするインターネットファクシミリ通信方法。
【請求項２】
少なくともインターネット網と電話網に接続し、受信した電子メールを指定されたファクシミリ装置にファックス送信する機能において、
ヘッダーと本文と添付ファイルの内容とを異なるページに印刷出力されるように分割し、
複数のファイルが添付されている際には、最初の該添付ファイルのページサイズに、前記ヘッダー、前記本文、他の前記添付ファイルのページサイズを変更して、転送先にファクシミリ送信する
ことを特徴とするインターネットファクシミリ通信方法。
【請求項３】
少なくともインターネット網と電話網に接続し、受信した電子メールを指定されたファクシミリ装置にファックス送信する機能において、
ヘッダーと本文と添付ファイルの内容とを異なるページに印刷出力されるように分割し、
前記ヘッダー、前記本文、前記添付ファイルのページサイズを、予め定められた同一のページサイズに変更して、転送先にファクシミリ送信する
ことを特徴とするインターネットファクシミリ通信方法。
【請求項４】
少なくともインターネット網と電話網に接続し、受信した電子メールを指定されたファクシミリ装置にファックス送信する機能において、
ヘッダーおよび本文と添付ファイルの内容とを異なるページに印刷出力されるように分割して、転送先にファックス送信することを特徴とするインターネットファクシミリ通信方法。
【請求項５】
前記ヘッダー及び前記本文が同一のページに収まるように、該ヘッダーまたは該本文のページサイズを変更することを特徴とする請求項４記載のインターネットファクシミリ通信方法。
【請求項６】
前記ヘッダーおよび前記本文が同一ページに収まるかの判断を行った後、前記分割を行うことを特徴とする請求項４記載のインターネットファクシミリ通信方法。
【請求項７】
前記判断は、前記ヘッダー及び前記本文の行数をカウントして行うことを特徴とする請求項６記載のインターネットファクシミリ通信方法。
【請求項８】
少なくともインターネット網と電話網に接続し、受信した電子メールを指定されたファクシミリ装置にファックス送信する機能を有するインターネットファクシミリ通信装置において、
ヘッダーと本文と添付ファイルの内容とを異なるページに印刷出力されるように分割する分割手段と、
前記ヘッダーおよび前記本文のページサイズを前記添付ファイルのページサイズに変更するページサイズ変換手段と
を具備することを特徴とするインターネットファクシミリ通信装置。
【請求項９】
少なくともインターネット網と電話網に接続し、受信した電子メールを指定されたファクシミリ装置にファックス送信する機能を有するインターネットファクシミリ通信装置において、
ヘッダーと本文と添付ファイルの内容とを異なるページに印刷出力されるように分割する分割手段と、
前記ヘッダー、前記本文、前記添付ファイルのページサイズを、予め定められた同一のページサイズに変更するページサイズ変換手段と
を具備することを特徴とするインターネットファクシミリ通信装置。
【請求項１０】
少なくともインターネット網と電話網に接続し、受信した電子メールを指定されたファクシミリ装置にファックス送信する機能を有するインターネットファクシミリ通信装置において、
ヘッダー及び本文と添付ファイルの内容とを異なるページに印刷出力されるように分割する分割手段を具備することを特徴とするインターネットファクシミリ通信装置。
【請求項１１】
前記ヘッダー及び前記本文が同一のページに収まるように、該ヘッダーまたは該本文のページサイズを変更するページサイズ変換手段を具備することを特徴とする請求項１０記載のインターネットファクシミリ通信装置。
【請求項１２】
前記ヘッダー及び前記本文が同一ページに収まるかの判断を行う判断手段をさらに具備し、
前記ヘッダー及び前記本文が収まると判断されると、前記ヘッダー及び前記本文と添付ファイルの内容とを異なるページに印刷出力されるように分割することを特徴とする請求項１０記載のインターネットファクシミリ通信装置。
【請求項１３】
前記ヘッダー及び前記本文の行数をカウントするカウント手段をさらに具備し、
前記判断手段の判断は、前記カウント手段を用いて行うことを特徴とする請求項１２記載のインターネットファクシミリ通信装置。
【発明の詳細な説明】
【０００１】
【発明の属する技術分野】
本発明は、インターネットファクシミリ通信装置及びその方法に関し、特に、受信した電子メール（以下、「Ｅ−ｍａｉｌ」という）を指定されたファクシミリ（以下、「ＦＡＸ」という）に転送するインターネットファクシミリ通信装置及びその方法に関する。
【０００２】
【従来の技術】
近年、インターネットの急速な普及に伴い、インターネットファクシミリ（以下、「インターネットＦＡＸ」という）装置が見られるようになってきた。
【０００３】
通常のＦＡＸ送信では、紙面に記載されている文書をＦＡＸ装置で読み取らせ、電話回線網を経由して送信先のＦＡＸ装置に読み取った文書を送信しているのに対して、インターネットＦＡＸ装置では、インターネット網に接続することが可能なパソコンなどから、Ｅ−ｍａｉｌとして送信先のインターネットＦＡＸ装置に文書等を送信する。
【０００４】
このため、相手先に送信する文書をパソコンなどからプリントアウトすることなく相手先のインターネットＦＡＸ装置に送信でき、また、インターネット網を利用するため、相手先が離れている場合には、通信費を抑えることができる。
【０００５】
ここで、インターネットＦＡＸ装置の機能には、Ｅ−ｍａｉｌとして受信した文書等を指定されたＦＡＸ装置にＦＡＸ送信するＥ−ｍａｉｌ  ｔｏ  ＦＡＸ  Ｇａｔｅｗａｙという機能がある。この機能では、インターネットＦＡＸ装置が受信したＥ−ｍａｉｌを送信先のＦＡＸ装置にＦＡＸ送信するため、送信先のＦＡＸ装置では、インターネットＦＡＸに対応しているか否かに係わらず、受信した文書等を印刷出力することができる。
【０００６】
【発明が解決しようとする課題】
しかし、従来のＥ−ｍａｉｌ  ｔｏ  ＦＡＸ  Ｇａｔｅｗａｙ機能を搭載するインターネットＦＡＸ装置では、図１０に示すように、Ｅ−ｍａｉｌ（ＳＭＴＰ）のヘッダー（９０１）とメール本文（９０２）と文書や画像である添付ファイルの内容（９０３）とを連続した紙面に記載されているものとみなして指定されたＦＡＸ装置にＦＡＸ送信するため、ページの区切りが無く、送信先のＦＡＸ装置で印刷出力された文書が非常に読みづらいという問題があった。
【０００７】
そこで本発明では、送信先のＦＡＸ装置で印刷出力された文書が読みやすいように、受信したＥ−ｍａｉｌをＦＡＸ送信することが可能なインターネットファクシミリ通信装置及びその方法を提供する。
【０００８】
【課題を解決するための手段】
本発明のインターネットファクシミリ通信方法では、受信したＥ−ｍａｉｌのヘッダー、本文、添付ファイルの内容を、指定されたファクシミリ通信装置にＦＡＸ送信するＥ−ｍａｉｌ  ｔｏ  ＦＡＸ  Ｇａｔｅｗａｙ機能において、ヘッダーと本文と添付ファイルの内容とを異なるページに印刷出力されるように分割して、転送先にＦＡＸ送信する。
【０００９】
この構成では、転送先のＦＡＸ装置で、ヘッダー、本文、添付ファイルの内容が異なるページに印刷出力されるため、読みやすい形式で文書を相手先に送信することができる。
【００１０】
また、前記ヘッダーおよび前記本文のページサイズを、前記添付ファイルのページサイズに変更することにより、各ページを統一したページサイズで印刷出力できるため、より読みやすい形式とすることができる。
【００１１】
ここで、複数のファイルが添付されている際には、最初の該添付ファイルのページサイズに、前記ヘッダー、前記本文、他の前記添付ファイルのページサイズを変更することで、各ページを統一したページサイズで印刷出力できるため、より読みやすい形式とすることができる。
【００１２】
なお、前記ヘッダー、前記本文、前記添付ファイルのページサイズを、予め定められたページサイズに変更するように構成することもできる。
【００１３】
また、本発明のインターネットファクシミリ通信方法では、受信したＥ−ｍａｉｌのヘッダー、本文、添付ファイルの内容を、指定されたファクシミリ通信装置にＦＡＸ送信するＥ−ｍａｉｌ  ｔｏ  ＦＡＸ  Ｇａｔｅｗａｙ機能において、ヘッダーおよび本文と添付ファイルの内容とを異なるページに印刷出力されるように分割して、転送先にＦＡＸ送信する。
【００１４】
この構成では、添付ファイルの付加情報であるヘッダー及び本文を同一ページとすることで、読みやすくかつ情報量を抑えた形式で、ＦＡＸ送信することができる。
【００１５】
ここで、前記ヘッダー及び前記本文が同一のページに収まるように、該ヘッダーまたは該本文のページサイズを変更することで、ヘッダーや本文のページサイズに関係なく、ヘッダーと本文を同一ページに収めることができる。
【００１６】
また、前記ヘッダーおよび前記本文が同一ページに収まるかの判断を行った後、前記分割を行うことにより、ヘッダー及び本文のページサイズを変更する必要がない場合のみ、ヘッダーと本文を同一ページに収めることができる。
【００１７】
ここで、前記判断は、前記ヘッダー及び前記本文の行数をカウントして行うこともできる。
【００１８】
次に、本発明のインターネットファクシミリ通信装置では、Ｅ−ｍａｉｌ  ｔｏ  ＦＡＸ  Ｇａｔｅｗａｙ機能において、ヘッダーと本文と添付ファイルの内容とを異なるページに印刷出力されるように分割する分割手段を具備する。
【００１９】
この構成では、転送先のＦＡＸ装置で、ヘッダー、本文、添付ファイルの内容が異なるページに印刷出力されるため、読みやすい形式で文書を相手先に送信することができる。
【００２０】
また、前記ヘッダーおよび前記本文のページサイズを前記添付ファイルのページサイズに変更するページサイズ変換手段を具備することにより、各ページを統一したページサイズで印刷出力できるため、より読みやすい形式とすることができる。
【００２１】
さらに、前記ヘッダー、前記本文、前記添付ファイルのページサイズを、予め定められたページサイズに変更するページサイズ変換手段を具備することにより、常に決まったページサイズでＦＡＸ送信を行うことができる。
【００２２】
また、本発明のインターネットファクシミリ通信装置では、Ｅ−ｍａｉｌ  ｔｏ  ＦＡＸ  Ｇａｔｅｗａｙ機能ヘッダー及び本文と添付ファイルの内容とを異なるページに印刷出力されるように分割する分割手段を具備する。
【００２３】
この構成では、添付ファイルの付加情報であるヘッダー及び本文を同一ページとすることで、読みやすくかつ情報量を抑えた形式で、ＦＡＸ送信することができる。
【００２４】
また、前記ヘッダー及び前記本文が同一のページに収まるように、該ヘッダーまたは該本文のページサイズを変更するページサイズ変換手段を具備することにより、ヘッダーや本文のページサイズに関係なく、ヘッダーと本文を同一ページに収めることができる。
【００２５】
また、前記ヘッダー及び前記本文が同一ページに収まるかの判断を行う判断手段をさらに具備し、前記ヘッダー及び前記本文が収まると判断されると、前記ヘッダー及び前記本文と添付ファイルの内容とを異なるページに印刷出力されるように分割することにより、ヘッダー及び本文のページサイズを変更する必要がない場合のみ、ヘッダーと本文を同一ページに収めることができる。
【００２６】
ここで、前記ヘッダー及び前記本文の行数をカウントするカウント手段をさらに具備し、前記判断手段の判断は、前記カウント手段を用いて行うこともできる。
【００２７】
【発明の実施の形態】
以下、本発明に係わるインターネットファクシミリ通信装置の実施の形態を添付図面を参照して詳細に説明する。
【００２８】
図１は、本発明に係わるインターネットＦＡＸ装置の全体構成を示す概念図であり、図２は、本発明に係わるインターネットＦＡＸ装置の全体構成を示す概略ブロック図である。
【００２９】
図１において、このインターネットＦＡＸ装置３００は、パソコン１００などからＬＡＮ回線やインターネット網２００を介して受信したＥ−ｍａｉｌを、指定されたＦＡＸ装置５００に電話回線網４００を介してＦＡＸ送信するように構成されるもので、図２に示すように、このインターネットＦＡＸ装置３００には、インターネットＦＡＸ装置全体の制御処理を行う中央演算処理装置（ＣＰＵ）１、インターネットＦＡＸ装置上の情報を記憶する記憶装置２、タッチパネル等から成り、使用者がこの装置を操作するために使用する操作表示装置３、送信原稿を読み取る読取装置４、受信した画像情報等を印刷出力する印字装置５、画像情報を符号化、複合化、拡大縮小等を行う画像処理装置６、受信あるいは読み取った画像情報を格納する画像蓄積装置７、インターネットＦＡＸ装置全体を制御するためのプログラムを有するシステム制御部８、デジタル網またはアナログ網に適した通信制御を行うためのプログラムを有する通信制御部９、複数の外部回線インターフェイスと複数の内部通信回路を切り替え接続する回線切替制御装置１１、網に接続するため制御を行う網制御装置１２、ネットワークに接続する通信を制御するネットワーク制御部１３が、相互に情報交換を行うためのシステムバス１５を介して接続され、さらに変復調装置であるモデム１０、Ｅｔｈｅｒｎｅｔに接続するためのＩ／ＦであるＥｔｈｅｒｎｅｔ  Ｉ／Ｆ１４が設けられる。
【００３０】
この構成において、インターネットＦＡＸ装置がＥｔｈｅｒｎｅｔ  Ｉ／Ｆ１４からネットワーク制御部１３を経由してＥ−ｍａｉｌを受信すると、記憶装置２をバッファとして用い、画像処理装置６を必要に応じて使いつつ、システム制御部８で処理を行い、Ｅ−ｍａｉｌ中の画像や本文をＦＡＸ通信に適した形式に変換し、通信制御部９、モデム１０、回線切替制御装置１１、網制御装置１２を介して電話網にＦＡＸ送信する。
【００３１】
図３は、上記インターネットＦＡＸ装置における動作を示すフローチャートである。
【００３２】
図３において、インターネットＦＡＸ装置がＥｔｈｅｒｎｅｔ  Ｉ／Ｆ、ネットワーク制御部を経由してＥ−ｍａｉｌを受信する（ステップ３０１）と、受信したＥ−ｍａｉｌについて、システム制御部でＥ−ｍａｉｌ  ｔｏ  Ｆａｘ  Ｇａｔｅｗａｙ機能を用いるかの判断を行う（ステップ３０２）。この判断は、例えば「ＦＡＸ＝＋０１２３４５６７８９＠ＸＸＸ．ｃｏ．ｊｐ」といったように、Ｅ−ｍａｉｌのアドレスに転送先のＦＡＸ装置の電話番号（０１−２３４５−６７８９）を記す方法や、Ｅ−ｍａｉｌのサブジェクトに電話番号を記す方法など、転送の指示を示す方法を予め定め、受信したＥ−ｍａｉｌに転送の指示に関する情報が含まれているかで判断を行う。
【００３３】
そして、Ｅ−ｍａｉｌ  ｔｏ  Ｆａｘ  Ｇａｔｅｗａｙ機能を用いる（ステップ３０２でＹＥＳ）と判断すると、図４に示すようにＥ−ｍａｉｌ９００を、例えば１ページ目にヘッダー９１１、２ページ目に本文９１２、３ページ目に添付ファイルの内容９１３というように、異なるページにそれぞれが記載されているとみなして分割（ステップ３０３）する。
【００３４】
ここで、分割されたＥ−ｍａｉｌの形式を画像処理装置でＦＡＸ送信用に変換し（ステップ３０４）、指定された転送先のＦＡＸ装置にＦＡＸ送信する（ステップ３０５）。
【００３５】
本実施の形態では、Ｅ−ｍａｉｌをＥｔｈｅｒｎｅｔを経由して受信しているが、Ｅｔｈｅｒｎｅｔ  Ｉ／Ｆに代えてモデム等を設置し、インターネット回線からＥ−ｍａｉｌを直接受信するように構成することもできる。
【００３６】
また、ファイルが複数添付されている場合には、各ファイルを異なるページとして分割することもできる。
【００３７】
また、添付ファイルの形式にインターネットＦＡＸ装置が対応してない場合には、その旨をファイル名と共に指定されたＦＡＸ装置に送信し、添付ファイルのページとして印刷出力するように構成することもできる。
【００３８】
次に、第２の実施の形態では、Ｅ−ｍａｉｌのヘッダー、本文、添付ファイル添付ファイルに収められている添付文書のサイズに合わせてＥ−ｍａｉｌのヘッダー及び本文のサイズを変換した後、ＦＡＸ送信用の形式ファイルに各ページを変換する。
【００３９】
図５は、本実施の形態におけるインターネットＦＡＸ装置の動作を示すフローチャートである。
【００４０】
図５において、インターネットＦＡＸ装置がＥ−ｍａｉｌを受信する（ステップ３１１）と、受信したＥ−ｍａｉｌについて、システム制御部でＥ−ｍａｉｌｔｏ  Ｆａｘ  Ｇａｔｅｗａｙ機能を用いるかの判断を行い（ステップ３１２）、Ｅ−ｍａｉｌ  ｔｏ  Ｆａｘ  Ｇａｔｅｗａｙ機能を用いる（ステップ３１２でＹＥＳ）と判断すると、ヘッダー、本文、添付文書を異なるページにそれぞれが記載されているとみなして分割（ステップ３１３）する。
【００４１】
ここで、添付文書のページサイズを検出（ステップ３１４）し、ヘッダー及び本文のページサイズどを添付文書のページサイズに合わせて変換する（ステップ３１５）。
【００４２】
そして、ページサイズが変換された各ページの形式を画像処理装置でＦＡＸ送信用に変換し（ステップ３１６）、指定された転送先のＦＡＸ装置にＦＡＸ送信する（ステップ３１７）。
【００４３】
本実施の形態では、添付文書のサイズに合わせてヘッダー及び本文のサイズを変換しているが、変換するサイズを予めＡ４サイズなどに定めることで、添付文書のサイズ等に係わらず、決められたサイズにヘッダー、本文、添付文書のサイズを変換することもできる。
【００４４】
また、複数のファイルが添付されている場合には、最初に添付されている添付文書のサイズを検出し、残りの添付文書のサイズもヘッダーや本文と同様に検出したサイズに合わせて変換することで、添付ファイルが複数の場合であっても、十分に対応することができる。
【００４５】
第３の実施の形態では、図６に示すように、Ｅ−ｍａｉｌのヘッダー及び本文９２１と添付ファイル９２２とを異なるページとみなして、分割、変換を行う。
【００４６】
図７は、本実施の形態におけるインターネットＦＡＸ装置の動作を示すフローチャートである。
【００４７】
図７において、インターネットＦＡＸ装置がＥ−ｍａｉｌを受信する（ステップ３２１）と、受信したＥ−ｍａｉｌについて、システム制御部でＥ−ｍａｉｌｔｏ  Ｆａｘ  Ｇａｔｅｗａｙ機能を用いるかの判断を行い（ステップ３２２）、Ｅ−ｍａｉｌ  ｔｏ  Ｆａｘ  Ｇａｔｅｗａｙ機能を用いる（ステップ３２２でＹＥＳ）と判断すると、ヘッダー及び本文の行数をカウントする（ステップ３２３）。
【００４８】
ここで、ヘッダー及び本文が１ページに収まると判断（ステップ３２４でＹＥＳ）すると、ヘッダーと本文を同一ページ、添付ファイルを異なるページとみなして分割（ステップ３２５）し、また、ヘッダー及び本文が１ページに収まらないと判断（ステップ３２４でＮＯ）すると、ヘッダー、本文、添付ファイルを異なるページとみなして分割（ステップ３２６）する。
【００４９】
そして、分割された各ページの形式を画像処理装置でＦＡＸ送信用に変換し（ステップ３２７）、指定された転送先のＦＡＸ装置にＦＡＸ送信する（ステップ３２８）。
【００５０】
なお、ヘッダー及び本文が１ページに収まるかの判断は、予め基準とする行数を設定する方法や、ヘッダー及び本文のページサイズを基準として設定するなどの方法で、判断することができる。
【００５１】
第４の実施の形態では、図８に示すように、Ｅ−ｍａｉｌのヘッダーのページと本文のページを同一のページ９３１として印刷出力できるように分割、変換を行う。
【００５２】
図９は、本実施の形態におけるインターネットＦＡＸ装置の動作を示すフローチャートである。
【００５３】
図９において、インターネットＦＡＸ装置がＥ−ｍａｉｌを受信する（ステップ３３１）と、受信したＥ−ｍａｉｌについて、システム制御部でＥ−ｍａｉｌｔｏ  Ｆａｘ  Ｇａｔｅｗａｙ機能を用いるかの判断を行い（ステップ３３２）、Ｅ−ｍａｉｌ  ｔｏ  Ｆａｘ  Ｇａｔｅｗａｙ機能を用いる（ステップ３３２でＹＥＳ）と判断すると、ヘッダー、本文、添付文書を異なるページにそれぞれが記載されているとみなして分割（ステップ３３３）する。
【００５４】
ここで、ヘッダーのページと本文のページが１ページに収まるように、各ページのサイズを変化させ、ヘッダーのページと本文のページを１ページに合成する（ステップ３３４）。なお、ヘッダー及び本文を収めるページのサイズは、添付文書のページサイズに合わせる方法や、Ａ４などのページサイズを予め定めておく方法などで設定する。
【００５５】
そして、各ページの形式を画像処理装置でＦＡＸ送信用に変換し（ステップ３３５）、指定された転送先のＦＡＸ装置にＦＡＸ送信する（ステップ３３６）。
【００５６】
【発明の効果】
本発明では、Ｅ−ｍａｉｌのヘッダー、本文、添付ファイルを異なるページとして転送先のＦＡＸ装置にＦＡＸ送信するため、各内容ごとに区切られた読みやすい文書の形式で送信先に文書を提供することができる。
【００５７】
また、添付ファイルの付加情報程度であるヘッダーおよび本文を同一ページにまとめることで、読みやすくかつ情報量を抑えたＦＡＸ送信を行うことができる。
【図面の簡単な説明】
【図１】本発明におけるインターネットＦＡＸ装置の全体構成を示す概念図
【図２】本発明におけるインターネットＦＡＸ装置の全体構成を示す概略ブロック図
【図３】第１の実施の形態におけるインターネットＦＡＸ装置の動作を示すフローチャート
【図４】第１の実施の形態におけるＥ−ｍａｉｌの分割を示す模式図
【図５】第２の実施の形態におけるインターネットＦＡＸ装置の動作を示すフローチャート
【図６】第３の実施の形態におけるＥ−ｍａｉｌの分割を示す模式図
【図７】第３の実施の形態におけるインターネットＦＡＸ装置の動作を示すフローチャート
【図８】第４の実施の形態におけるＥ−ｍａｉｌの分割を示す模式図
【図９】第４の実施の形態におけるインターネットＦＡＸ装置の動作を示すフローチャート
【図１０】従来技術における印刷出力例
【符号の説明】
１…中央演算処理装置（ＣＰＵ）
２…記憶装置
３…操作表示装置
４…読取装置
５…印字装置
６…画像処理装置
７…画像蓄積装置
８…システム制御部
９…通信制御部
１０…モデム
１１…回線切替制御装置
１２…網制御装置
１３…ネットワーク制御部
１４…Ｅｔｈｅｒｎｅｔ  Ｉ／Ｆ
１５…システムバス
１００…パソコン
２００…インターネット網
３００…インターネットファクシミリ（インターネットＦＡＸ）装置
４００…電話回線網
５００…ファクシミリ（ＦＡＸ）装置
９００…Ｅ−ｍａｉｌ
９１１…ヘッダーページ
９１２…本文ページ
９１３…添付ファイルページ
９２１、９３１…ヘッダー・本文ページ
９２２、９３２…添付ファイルページ
【図１】
0003899814.tif 000002
【図２】
0003899814.tif 000003
【図３】
0003899814.tif 000004
【図４】
0003899814.tif 000005
【図５】
0003899814.tif 000006
【図６】
0003899814.tif 000007
【図７】
0003899814.tif 000008
【図８】
0003899814.tif 000009
【図９】
0003899814.tif 000010
【図１０】
0003899814.tif 000011